(57)【要約】【課題】広角、かつ低背でありながら、撮像面と最終レンズとの間の距離を確保し、収差を良好に補正した撮像光学系を提供すること。【解決手段】物体側から順に、正の屈折力を有する第１レンズＬ１と、負の屈折力を有し、両凹形状を有する第２レンズＬ２と、少なくとも一面に非球面形状を有する第３レンズＬ３と、少なくとも一面に非球面形状を有する第４レンズＬ４と、負の屈折力を有し、少なくとも一面に非球面形状を有し、光軸ＡＸとの交点以外に変曲点を有する第５レンズＬ５と、から実質的になり、以下の条件式  ２＜ｒ１／ｆ＜１０００    …    （１）、  −１０＜ｒ３／ｆ＜−０．３    …  （２）を満足する。ただし、値ｒ１は第１レンズＬ１の物体側面の曲率半径であり、値ｆは撮像光学系１０全系の焦点距離であり、値ｒ３は第２レンズＬ２の物体側面の曲率半径である。【選択図】図１
2018097289.tif 000002
【特許請求の範囲】
【請求項１】
物体側から順に、
正の屈折力を有する第１レンズと、
負の屈折力を有し、両凹形状を有する第２レンズと、
少なくとも一面に非球面形状を有する第３レンズと、
少なくとも一面に非球面形状を有する第４レンズと、
負の屈折力を有し、少なくとも一面に非球面形状を有し、光軸との交点以外に変曲点を有する第５レンズと、
から実質的になり、
以下の条件式を満足することを特徴とする撮像光学系。
２＜ｒ１／ｆ＜１０００    …    （１）
−１０＜ｒ３／ｆ＜−０．３    …  （２）
ただし、
ｒ１：前記第１レンズの物体側面の曲率半径
ｆ：撮像光学系全系の焦点距離
ｒ３：前記第２レンズの物体側面の曲率半径
【請求項２】
前記第４レンズは、正の屈折力を有することを特徴とする請求項１に記載の撮像光学系。
【請求項３】
前記第３レンズは、物体側に凸面を向けた形状を有することを特徴とする請求項１及び２のいずれか一項に記載の撮像光学系。
【請求項４】
以下の条件式を満足することを特徴とする請求項１〜３のいずれか一項に記載の撮像光学系。
９０＜２ｗ    …    （３）
ただし、
ｗ：半画角
【請求項５】
少なくとも１枚のレンズは、ガラス材料で形成されていることを特徴とする請求項１〜４のいずれか一項に記載の撮像光学系。
【請求項６】
前記第１レンズの物体側に絞りを有することを特徴とする請求項１〜５のいずれか一項に記載の撮像光学系。
【請求項７】
請求項１〜６のいずれか一項に記載の撮像光学系と、
前記撮像光学系から得られる像を検出する撮像素子と、
を備えることを特徴とする撮像装置。
【発明の詳細な説明】
【技術分野】
【０００１】
本発明は、小型の撮像光学系、及びこれを組み込んだ撮像装置に関し、特に、小型、及び低背化に好適な撮像光学系及び撮像装置に関する。
【背景技術】
【０００２】
デジタルカメラや携帯通信端末等に内蔵された撮像装置を用いて自らを被写体としてカメラで撮影する自分撮り等を行う場合、当該撮像装置は、広角、低背な撮像レンズを備えることが求められている。特許文献１及び２には、広角な撮像レンズの例が挙げられている。
【０００３】
特許文献１の撮像レンズは、最も物体側の第１レンズの物体側面の曲率半径、及び第２レンズの形状が適切に設定されていないため、さらに広角にすると、収差補正が困難となるおそれがある。また、特許文献２の撮像レンズは、撮像面と最終レンズとの間の距離が短く、実現性に乏しい。
【先行技術文献】
【特許文献】
【０００４】
【特許文献１】特開２０１３−２４６２１７号公報
【特許文献２】国際公開第２０１３／０３９０３５号
【発明の概要】
【０００５】
本発明は、上記背景技術の問題点に鑑みてなされたものであり、広角、かつ低背でありながら、撮像面と最終レンズとの間の距離を確保し、収差を良好に補正した撮像光学系を提供することを目的とする。
【０００６】
また、本発明は、上述の撮像光学系を組み込んだ撮像装置を提供することを目的とする。
【０００７】
上記課題を達成するため、本発明に係る撮像光学系は、物体側から順に、正の屈折力を有する第１レンズと、負の屈折力を有し、両凹形状を有する第２レンズと、少なくとも一面に非球面形状を有する第３レンズと、少なくとも一面に非球面形状を有する第４レンズと、負の屈折力を有し、少なくとも一面に非球面形状を有し、光軸との交点以外に変曲点を有する第５レンズと、から実質的になり、以下の条件式を満足する。
２＜ｒ１／ｆ＜１０００    …    （１）
−１０＜ｒ３／ｆ＜−０．３    …  （２）
ただし、値ｒ１は第１レンズの物体側面の曲率半径であり、値ｆは撮像光学系全系の焦点距離であり、値ｒ３は第２レンズの物体側面の曲率半径である。ここで、「変曲点」とは、有効半径内でのレンズ断面形状の曲線において、非球面形状の２階微分値の符号の正負が逆転するような非球面上の点のことである。
【０００８】
上記撮像光学系では、物体側に、正の第１レンズと、第２レンズから第５レンズまでで構成される負レンズ群とを配置するテレフォトタイプのレンズ構成で小型化を図っている。第１レンズの物体側面に弱い正の屈折力を配置することで、広角化とバックフォーカスの確保とを実現できる。また、第２レンズを両凹形状にすることで、片側の面の負の屈折力が強くなりすぎることを防ぐことができる。そのため、全長の小型化とバックフォーカスのバランスを取りつつ、製造誤差による劣化を抑えることができる。また、５枚構成のうち、最も像側に配置された第５レンズの少なくとも一面を非球面とすることで、画面周辺部での諸収差を良好に補正することができる。さらに、第５レンズを光軸との交点以外の位置に変曲点を有する非球面形状とすることで、像側光束のテレセントリック特性を確保しやすくなる。
【０００９】
条件式（１）は、第１レンズの物体側面の曲率半径を適切に設定するための条件式である。条件式（１）の値ｒ１／ｆが下限を上回ることで、物体側面の曲率半径が小さくなりすぎず、レンズ面に入射する光線角度が大きくなることを抑えることができる。そのため、球面収差の良好な補正が可能となる。また、全系の主点位置が物体側に行きすぎず、バックフォーカスを確保しやすい。一方、条件式（１）の値ｒ１／ｆが上限を下回ることで、テレフォトタイプの特性を弱めすぎることなく、レンズ全長を短くすることができる。
【００１０】
なお、値ｒ１／ｆについては、下式の範囲がより望ましい。
２．５＜ｒ１／ｆ＜７００    …    （１）'
【００１１】
条件式（２）は、第２レンズの物体側面の曲率半径を適切に設定するための条件式である。条件式（２）の値ｒ３／ｆが下限を上回ることで、適度に光線を迎える形状を確保し収差の発生を抑制することができる。また、負のパワーを有する第２レンズを比較的物体側に配置することで、バックフォーカスの確保が容易である。一方、条件式（２）の値ｒ３／ｆが上限を下回ることで、凹面が深くなりすぎず、テレフォトタイプの特性を弱めすぎることなく、レンズ全長を短くすることができる。
【００１２】
なお、値ｒ３／ｆについては、下式の範囲がより望ましい。
−８＜ｒ３／ｆ＜−０．６    …    （２）'
【００１３】
本発明の具体的な側面によれば、上述の撮像光学系において、第４レンズは、正の屈折力を有する。この場合、射出瞳位置をより物体側へ配置し、良好なテレセントリック特性を確保することができる。
【００１４】
本発明の別の側面によれば、第３レンズは、物体側に凸面を向けた形状を有する。この場合、第２レンズで強く跳ね上げられた軸外光線を屈折角を小さく抑えながら第５レンズに入射させることができ、軸外での収差をより良好に抑えることができる。
【００１５】
本発明のさらに別の側面によれば、撮像光学系は、以下の条件式を満足する。
９０＜２ｗ    …    （３）
ただし、値ｗは半画角（単位は度）である。
【００１６】
条件式（３）は、画角を適切に設定するための条件式である。条件式（３）の値２ｗが下限を上回ることで、昨今の自分撮りのニーズに対応した広角化を行うことができる。
【００１７】
なお、値２ｗについては、下式の範囲がより望ましい。
９３＜２ｗ    …    （３）'
【００１８】
本発明のさらに別の側面によれば、少なくとも１枚のレンズは、ガラス材料で形成されている。この場合、温度による屈折率変化や膨張収縮が小さく、環境変化に対し、性能変化を小さくすることができる。
【００１９】
本発明のさらに別の側面によれば、第１レンズの物体側に絞りを有する。この場合、広角化に伴い、レンズ径が大きくなることを抑えることができる。
【００２０】
上記課題を達成するため、本発明に係る撮像装置は、上述した撮像光学系と、撮像光学系から得られる像を検出する撮像素子とを備える。
【００２１】
上記撮像装置では、上述の撮像光学系を用いることで、広角で諸収差が良好に補正された画像を得られる、小型のものを得ることができる。
【図面の簡単な説明】
【００２２】
【図１】本発明の一実施形態の撮像光学系を備える撮像装置を説明する図である。
【図２】（Ａ）及び（Ｂ）は、それぞれ携帯端末の表面側及び裏面側の斜視図である。
【図３】実施例１の撮像光学系等の断面図である。
【図４】（Ａ）〜（Ｅ）は、実施例１の撮像光学系の収差図である。
【図５】実施例２の撮像光学系等の断面図である。
【図６】（Ａ）〜（Ｅ）は、実施例２の撮像光学系の収差図である。
【図７】実施例３の撮像光学系等の断面図である。
【図８】（Ａ）〜（Ｅ）は、実施例３の撮像光学系の収差図である。
【図９】実施例４の撮像光学系等の断面図である。
【図１０】（Ａ）〜（Ｅ）は、実施例４の撮像光学系の収差図である。
【図１１】実施例５の撮像光学系等の断面図である。
【図１２】（Ａ）〜（Ｅ）は、実施例５の撮像光学系の収差図である。
【図１３】実施例６の撮像光学系等の断面図である。
【図１４】（Ａ）〜（Ｅ）は、実施例６の撮像光学系の収差図である。
【図１５】実施例７の撮像光学系等の断面図である。
【図１６】（Ａ）〜（Ｅ）は、実施例７の撮像光学系の収差図である。
【発明を実施するための形態】
【００２３】
以下、図１等を参照して、本発明の一実施形態である撮像光学系及び撮像装置について説明する。なお、図１で例示した撮像光学系１０は、後述する実施例１の撮像光学系１０Ａと同一の構成となっている。
【００２４】
図１は、本発明の一実施形態である撮像装置１００を示す断面図である。撮像装置１００は、画像信号を形成するためのカメラモジュール３０と、カメラモジュール３０を動作させることにより撮像装置１００としての機能を発揮させる処理部６０とを備える。
【００２５】
カメラモジュール３０は、撮像光学系１０を内蔵するレンズユニット４０と、撮像光学系１０によって形成された被写体像を画像信号に変換するセンサー部５０とを備える。
【００２６】
レンズユニット４０は、広角光学系である撮像光学系１０と、撮像光学系１０を組み込んだ鏡筒４１とを備える。撮像光学系１０は、撮像素子５１の撮像面（被投影面）Ｉに被写体像を結像させるものである。撮像光学系１０は、物体側から順に、第１レンズＬ１と、第２レンズＬ２と、第３レンズＬ３と、第４レンズＬ４と、第５レンズＬ５とを備える。鏡筒４１は、樹脂、金属、樹脂にグラスファイバーを混合したもの等で形成され、レンズ等を内部に収納し保持している。鏡筒４１を金属や、樹脂にグラスファイバーを混合したもので形成する場合、樹脂よりも熱膨張しにくく、撮像光学系１０を安定して固定することができる。鏡筒４１は、物体側からの光を入射させる開口ＯＰを有する。鏡筒４１は、撮像光学系１０を構成するレンズＬ１〜Ｌ５のうちいずれか１つ以上のレンズを光軸ＡＸに沿って移動させることにより、撮像光学系１０の合焦の動作を可能にするため、例えば駆動機構４２を有している。駆動機構４２は、特定又は全レンズを光軸ＡＸに沿って往復移動させる。駆動機構４２は、例えばボイスコイルモーターとガイドとを備える。なお、駆動機構４２をボイスコイルモーター等の代わりにステッピングモーター等で構成することができる。
【００２７】
センサー部５０は、撮像光学系（広角光学系）１０によって形成された被写体像を光電変換する撮像素子（固体撮像素子）５１と、この撮像素子５１を支持する基板５２とを備える。撮像素子５１は、例えばＣＭＯＳ型のイメージセンサーである。基板５２は、撮像素子５１を動作させるための配線、周辺回路等を備える。撮像素子５１は、不図示のホルダー部材によって光軸ＡＸに対して位置決めして固定されている。このホルダー部材は、レンズユニット４０の鏡筒４１に嵌合するように位置決めされた状態で固定されている。
【００２８】
撮像素子５１は、撮像面Ｉとしての光電変換部５１ａを有し、その周辺には、不図示の信号処理回路が形成されている。光電変換部５１ａには、画素つまり光電変換素子が２次元的に配置されている。なお、撮像素子５１は、上述のＣＭＯＳ型のイメージセンサーに限るものでなく、ＣＣＤ等の他の撮像素子を組み込んだものであってもよい。
【００２９】
なお、レンズユニット４０とセンサー部５０との間には、平行平板Ｆ等を配置することができる。平行平板Ｆは、光学的ローパスフィルター、ＩＲカットフィルター、撮像素子５１のシールガラス等を想定した平行平板である。平行平板Ｆは、別体のフィルター部材として配置することもできるが、別体として配置せず、撮像光学系１０を構成するいずれかのレンズ面にその機能を付与することができる。例えば、赤外カットフィルターの場合、赤外カットコートを１枚又は複数枚のレンズの表面上に施してもよい。
【００３０】
処理部６０は、レンズ駆動部６１と、素子駆動部６２と、入力部６３と、記憶部６４と、画像処理部６５と、表示部６６と、制御部６７とを備える。レンズ駆動部６１は、駆動機構４２を動作させ、第１〜第５レンズＬ１〜Ｌ５のうちいずれか１つ以上のレンズを光軸ＡＸに沿って移動させることにより、撮像光学系１０の合焦等の動作を行わせる。素子駆動部６２は、制御部６７から撮像素子５１を駆動するための電圧やクロック信号の供給を受けて撮像素子５１に付随する回路へ出力することによって、撮像素子５１を動作させている。また、素子駆動部６２は、制御部６７の制御下で撮像素子５１からのＹＵＶその他のデジタル画素信号をそのまま或いは加工して画像処理部６５又は外部回路へ出力する。入力部６３は、ユーザーの操作又は外部装置からのコマンドを受け付ける部分である。記憶部６４は、撮像装置１００の動作に必要な情報、カメラモジュール３０によって取得した画像データ、画像処理に用いるレンズ補正データ等を保管する部分である。画像処理部６５は、撮像素子５１から出力された画像信号に対して画像処理を行う。画像処理部６５では、画像信号が例えば動画像に対応するものであるとしてこれを構成するコマ画像に対して加工を施す。画像処理部６５は、色補正、階調補正、ズーミング等の通常の画像処理の他に、記憶部６４から読み出されたレンズ補正データに基づいて画像信号に対して歪み補正処理を実行する。表示部６６は、ユーザーに提示すべき情報、撮影した画像等を表示する部分である。なお、表示部６６は、入力部６３の機能を兼用でき、表示部６６を介して、後述する携帯通信端末３００の操作をすることができる。制御部６７は、レンズ駆動部６１、素子駆動部６２、入力部６３、記憶部６４、画像処理部６５、表示部６６等の動作を統括的に制御しており、例えばカメラモジュール３０によって得た画像データに対して種々の画像処理を行うことができる。
【００３１】
次に、図２（Ａ）及び２（Ｂ）を参照して、図１に例示されるカメラモジュール３０を搭載した携帯電話機その他の携帯通信端末３００の一例について説明する。
【００３２】
携帯通信端末３００は、スマートフォン型の携帯端末であり、カメラモジュール３０を有する撮像装置１００を備える。図示を省略するが、携帯通信端末３００は、不図示のアンテナを介して外部システム等との間の各種情報通信を実現するための無線通信部、電源スイッチ等を含む操作部、システムプログラム、各種処理プログラム及び端末ＩＤ等の必要な諸データを記憶している記憶部（ＲＯＭ）等も備える。
【００３３】
ここで、上記撮像装置１００を含む携帯通信端末３００の撮影動作を説明する。携帯通信端末３００をカメラとして動作させるカメラモードに設定されると、被写体のモニタリング（スルー画像表示）と、画像撮影実行とが行われる。モニタリングにおいては、撮像光学系１０を介して得られた被写体の像が、撮像素子５１の撮像面Ｉ（図１参照）に結像される。撮像素子５１は、素子駆動部６２によって走査駆動され、一定周期毎に結像した光像に対応する光電変換出力をデジタル化したデジタル信号を１コマ分出力する。デジタル信号は、画像処理部６５等に入力され、画像処理された画像信号（ビデオ信号）が生成され、表示部６６や記憶部６４に出力される。
【００３４】
表示部６６は、モニタリングにおいてはファインダーとして機能し、撮像画像をリアルタイムに表示することとなる。この状態で、随時、ユーザーが表示部６６を介して行う操作入力に基づいて、レンズ駆動部６１の駆動により撮像光学系１０の合焦、露出等が設定される。
【００３５】
このようなモニタリング状態において、ユーザーが表示部６６を適宜操作することにより、例えば静止画像データが撮影される。表示部６６の操作内容に応じて、記憶部６４に格納された１コマの画像データ（撮像データ）が読み出されて、圧縮される。その圧縮された画像データは、制御部６７を介して、記憶部６４等に記録される。
【００３６】
なお、上述の撮像装置１００は、本発明に好適な撮像装置の一例であり、本発明は、これに限定されるものではない。すなわち、カメラモジュール３０又は撮像光学系１０を組み込んだ撮像装置１００は、スマートフォン型の携帯通信端末３００に内蔵されるものに限らず、携帯電話、ＰＨＳ（Personal Handyphone System）等に内蔵されるものであってもよく、ＰＤＡ（Personal Digital Assistant）、タブレットパソコン、モバイルパソコン、デジタルスチルカメラ、ビデオカメラ等に内蔵されるものであってもよい。
【００３７】
以下、図１に戻って、本発明の一実施形態である撮像光学系１０について詳細に説明する。撮像光学系１０は、物体側より順に、開口絞りＳＴと、光軸ＡＸ近傍で正の屈折力を有する第１レンズＬ１と、光軸ＡＸ近傍で負の屈折力を有し、両凹形状を有する第２レンズＬ２と、物体側に凸面を向けた形状を有する第３レンズＬ３と、光軸ＡＸ近傍で正の屈折力を有する第４レンズＬ４と、光軸ＡＸ近傍で負の屈折力を有する第５レンズＬ５とから実質的になる。第３〜第５レンズＬ３〜Ｌ５は、少なくとも一面に非球面形状を有している。第５レンズＬ５は、光軸ＡＸとの交点以外に変曲点を有する。ここで、「変曲点」とは、有効半径内でのレンズ断面形状の曲線において、非球面形状の２階微分値の符号の正負が逆転するような非球面上の点のことである。
【００３８】
第１〜第５レンズＬ１〜Ｌ５のうち少なくとも１枚のレンズは、ガラス材料で形成されている。これにより、温度による屈折率変化や膨張収縮が小さく、環境変化に対し、性能変化を小さくすることができる。特に、最も物体側のレンズ（具体的には、第１レンズＬ１）がガラス材料で形成されていることが望ましい。図１の例では、第１、第３、及び第４レンズＬ１，Ｌ３，Ｌ４がガラス材料で形成されている。
【００３９】
撮像光学系１０は、以下の条件式（１）及び（２）を満足する。
２＜ｒ１／ｆ＜１０００    …    （１）
−１０＜ｒ３／ｆ＜−０．３    …  （２）
ただし、値ｒ１は第１レンズＬ１の物体側面の曲率半径であり、値ｆは撮像光学系１０全系の焦点距離であり、値ｒ３は第２レンズＬ２の物体側面の曲率半径である。
【００４０】
条件式（１）は、第１レンズＬ１の物体側面の曲率半径を適切に設定するための条件式である。条件式（１）の値ｒ１／ｆが下限を上回ることで、物体側面の曲率半径が小さくなりすぎず、レンズ面に入射する光線角度が大きくなることを抑えることができる。そのため、球面収差の良好な補正が可能となる。また、全系の主点位置が物体側に行きすぎず、バックフォーカスを確保しやすい。一方、条件式（１）の値ｒ１／ｆが上限を下回ることで、テレフォトタイプの特性を弱めすぎることなく、レンズ全長を短くすることができる。
【００４１】
なお、値ｒ１／ｆについては、下式の範囲がより望ましい。
２．５＜ｒ１／ｆ＜７００    …    （１）'
【００４２】
条件式（２）は、第２レンズＬ２の物体側面の曲率半径を適切に設定するための条件式である。条件式（２）の値ｒ３／ｆが下限を上回ることで、適度に光線を迎える形状を確保し収差の発生を抑制することができる。また、負のパワーを有する第２レンズＬ２を比較的物体側に配置することで、バックフォーカスの確保が容易である。一方、条件式（２）の値ｒ３／ｆが上限を下回ることで、凹面が深くなりすぎず、テレフォトタイプの特性を弱めすぎることなく、レンズ全長を短くすることができる。
【００４３】
なお、値ｒ３／ｆについては、下式の範囲がより望ましい。
−８＜ｒ３／ｆ＜−０．６    …    （２）'
【００４４】
実施形態の撮像光学系１０は、上記条件式（１）及び（２）に加えて、以下の条件式（３）を満足する。
９０＜２ｗ    …    （３）
ただし、値ｗは半画角である。
【００４５】
条件式（３）は、画角を適切に設定するための条件式である。条件式（３）の値２ｗが下限を上回ることで、昨今の自分撮りのニーズに対応した広角化を行うことができる。
【００４６】
なお、値２ｗについては、下式の範囲がより望ましい。
９３＜２ｗ    …    （３）'
【００４７】
なお、実施形態の撮像光学系１０では、実質的にパワーを持たない光学素子をさらに有してもよい。
【００４８】
以上説明した撮像光学系では、物体側に、正の第１レンズＬ１と、第２レンズＬ２から第５レンズＬ５までで構成される負レンズ群とを配置するテレフォトタイプのレンズ構成で小型化を図っている。第１レンズＬ１の物体側面に弱い正の屈折力を配置することで、広角化とバックフォーカスとの確保を実現している。また、第２レンズＬ２を両凹形状にすることで、片側の面の負の屈折力が強くなりすぎることを防ぐことができる。そのため、全長の小型化とバックフォーカスのバランスを取りつつ、製造誤差による劣化を抑えることができる。また、５枚構成のうち、最も像側に配置された第５レンズＬ５の少なくとも一面を非球面とすることで、画面周辺部での諸収差を良好に補正することができる。さらに、第５レンズＬ５を光軸ＡＸとの交点以外の位置に変曲点を有する非球面形状とすることで、像側光束のテレセントリック特性を確保しやすくなる。
【００４９】
また、第４レンズＬ４が正の屈折力を有することで、射出瞳位置をより物体側へ配置し、良好なテレセントリック特性を確保することができる。第３レンズＬ３が物体側に凸面を向けた形状を有することで、第２レンズＬ２で強く跳ね上げられた軸外光線を屈折角を小さく抑えながら第５レンズＬ５に入射させることができ、軸外での収差をより良好に抑えることができる。第１レンズＬ１の物体側に開口絞りＳＴを有することにより、広角化に伴い、レンズ径が大きくなることを抑えることができる。
【００５０】
〔実施例〕
以下、本発明の撮像光学系の実施例を示す。各実施例に使用する記号は下記の通りである。
ｆ      ：撮像光学系全系の焦点距離
ｆＢ    ：バックフォーカス
Ｆ      ：Ｆ値
２Ｙ    ：撮像素子の撮像面対角線長
ＥＮＴＰ：入射瞳位置（第１面から入射瞳位置までの距離）
ＥＸＴＰ：射出瞳位置（撮像面から射出瞳位置までの距離）
Ｈ１    ：前側主点位置（第１面から前側主点位置までの距離）
Ｈ２    ：後側主点位置（最終面から後側主点位置までの距離）
２ｗ    ：全画角
Ｒ      ：曲率半径
Ｄ      ：軸上面間隔
Ｎｄ    ：レンズ材料のｄ線に対する屈折率
νｄ    ：レンズ材料のアッベ数
ＥＲ    ：有効半径
各実施例において、各面番号の後に「＊」が記載されている面が非球面形状を有する面であり、非球面の形状は、面の頂点を原点とし、光軸ＡＸ方向にＸ軸をとり、光軸ＡＸと垂直方向の高さをｈとして以下の「数１」で表す。
【数１】
2018097289.tif 000003
ただし、
Ａｉ：ｉ次の非球面係数
Ｒ  ：曲率半径
Ｋ  ：円錐定数
【００５１】
（実施例１）
実施例１の撮像光学系の全体諸元を以下に示す。
f=3.8(mm)
fB=0.27(mm)
F=2.4
2Y=6.97(mm)
ENTP=0(mm)
EXTP=-4.43(mm)
H1=0.72(mm)
H2=-3.53(mm)
2w=94.3(°)
【００５２】
実施例１のレンズ面のデータを以下の表１に示す。なお、以下の表１等において、無限大を「INF」と表し、開口絞りを「ST」と表している。
〔表１〕
Surf.N     R(mm)    D(mm)     Nd      νd     ER(mm)
1         INF      0.00                      0.79
2(ST)     INF      0.05                      0.79
3*        9.355    1.21    1.90000   37.2    0.82
4*       -3.079    0.07                      1.19
5*       -5.118    0.30    1.63550   23.9    1.50
6*        3.513    0.28                      1.43
7*        4.503    1.04    1.48700   70.2    1.62
8*      -14.811    0.30                      1.80
9*       -4.456    1.02    1.90000   37.2    1.84
10*       -1.564    0.05                      2.11
11*        9.626    0.62    1.63550   23.9    2.28
12*        1.250    0.77                      3.01
13         INF      0.70    1.51630   64.1    3.24
14         INF                                3.39
【００５３】
実施例１のレンズ面の非球面係数を以下の表２に示す。なお、これ以降（表のレンズデータを含む）において、１０のべき乗数（たとえば２．５×１０−０２）をＥ（たとえば２．５Ｅ−０２）を用いて表すものとする。
〔表２〕
第3面
K=0.36664E+02, A4=-0.23736E-01, A6=-0.85076E-02, 
A8=-0.20034E-02, A10=0.55214E-03
第4面
K=-0.50214E+01, A4=-0.29041E-02, A6=-0.37310E-01, 
A8=0.23588E-01, A10=-0.53289E-02
第5面
K=-0.50000E+02, A4=-0.20518E-01, A6=0.19996E-02, 
A8=-0.98218E-03, A10=0.47373E-02, A12=-0.16423E-02
第6面
K=0.20854E+01, A4=-0.44142E-01, A6=0.27552E-01, 
A8=-0.13707E-01, A10=0.33451E-02, A12=-0.37488E-03
第7面
K=0.17722E+01, A4=-0.28899E-01, A6=0.97505E-03, 
A8=-0.12334E-03, A10=0.24386E-03
第8面
K=0.50000E+02, A4=-0.86970E-02, A6=0.97619E-02, 
A8=-0.12902E-01, A10=0.24171E-02
第9面
K=-0.50000E+02, A4=-0.87637E-01, A6=0.82955E-01, 
A8=-0.48931E-01, A10=0.12884E-01, A12=-0.12415E-02
第10面
K=-0.57643E+01, A4=-0.71101E-01, A6=0.46251E-01, 
A8=-0.20260E-01, A10=0.43153E-02, A12=-0.33152E-03
第11面
K=0.11238E+02, A4=-0.60332E-01, A6=0.13859E-01, 
A8=-0.66931E-02, A10=0.14389E-02, A12=-0.73458E-04, 
A14=-0.41727E-05
第12面
K=-0.43424E+01, A4=-0.41329E-01, A6=0.10646E-01, 
A8=-0.21371E-02, A10=0.24265E-03, A12=-0.13321E-04, 
A14=0.24657E-06
【００５４】
実施例１の単レンズデータを以下の表３に示す。
〔表３〕
レンズ   始面   焦点距離(mm)
1         3      2.698
2         5     -3.234
3         7      7.218
4         9      2.293
5        11     -2.327
【００５５】
図３は、実施例１の撮像光学系１０Ａ等の断面図である。撮像光学系１０Ａは、物体側より順に、光軸ＡＸ近傍で正の屈折力を有し平凸に近い両凸の第１レンズＬ１と、光軸ＡＸ近傍で負の屈折力を有し両凹の第２レンズＬ２と、光軸ＡＸ近傍で正の屈折力を有し凸平に近い両凸の第３レンズＬ３と、光軸ＡＸ近傍で正の屈折力を有し像側に凸面を向けたメニスカス形状を有する第４レンズＬ４と、光軸ＡＸ近傍で負の屈折力を有し物体側に凸面を向けたメニスカス形状を有する第５レンズＬ５とを備える。第１、第３、及び第４レンズＬ１，Ｌ３，Ｌ４は、ガラス材料で形成されている。第２及び第５レンズＬ２，Ｌ５は、プラスチック材料で形成されている。第１レンズＬ１の物体側には、開口絞りＳＴが配置されている。第５レンズＬ５の光射出面と撮像面（像面）Ｉとの間には、平行平板Ｆが配置されている。平行平板Ｆは、光学的ローパスフィルター、ＩＲカットフィルター、固体撮像素子のシールガラス等を想定したものである（以下の実施例でも同様）。
【００５６】
図４（Ａ）〜４（Ｃ）は、実施例１の撮像光学系１０Ａの球面収差、非点収差、及び歪曲収差を示し、図４（Ｄ）及び４（Ｅ）は、撮像光学系１０Ａのメリディオナルコマ収差を示している。
【００５７】
（実施例２）
実施例２の撮像光学系の全体諸元を以下に示す。
f=3.75(mm)
fB=0.33(mm)
F=2.4
2Y=6.96(mm)
ENTP=0(mm)
EXTP=-4.31(mm)
H1=0.72(mm)
H2=-3.42(mm)
2w=95.1(°)
【００５８】
実施例２のレンズ面のデータを以下の表４に示す。
〔表４〕
Surf.N     R(mm)    D(mm)     Nd      νd     ER(mm)
1         INF      0.00                      0.78
2(ST)     INF      0.05                      0.78
3*        9.724    0.99    1.87650   38.8    0.81
4*       -4.005    0.08                      1.12
5*       -9.500    0.30    1.63550   23.9    1.50
6*        3.902    0.33                      1.38
7*        5.188    0.88    1.48700   70.2    1.60
8*      -11.554    0.26                      1.74
9*       -3.538    1.07    1.81880   43.8    1.80
10*       -1.516    0.05                      2.05
11*        5.662    0.80    1.63550   23.9    2.21
12*        1.250    0.79                      3.00
13         INF      0.70    1.51630   64.1    3.20
14         INF                                3.35
【００５９】
実施例２のレンズ面の非球面係数を以下の表５に示す。
〔表５〕
第3面
K=0.13617E+02, A4=-0.20329E-01, A6=0.31595E-03, 
A8=-0.16249E-01, A10=0.11201E-01
第4面
K=-0.58450E+01, A4=-0.59025E-02, A6=-0.34045E-01, 
A8=0.19229E-01, A10=-0.24263E-02
第5面
K=-0.49997E+02, A4=-0.56449E-02, A6=-0.20960E-01, 
A8=-0.55503E-03, A10=0.15785E-01, A12=-0.56060E-02
第6面
K=0.28055E+01, A4=-0.42835E-01, A6=0.18860E-01, 
A8=-0.11377E-01, A10=0.46988E-02, A12=-0.94923E-03
第7面
K=0.46138E+01, A4=-0.28727E-01, A6=-0.45510E-02, 
A8=0.14634E-02, A10=0.83346E-04
第8面
K=-0.30750E+02, A4=-0.56977E-02, A6=0.26299E-02, 
A8=-0.12544E-01, A10=0.26709E-02
第9面
K=-0.35572E+02, A4=-0.79132E-01, A6=0.80303E-01, 
A8=-0.50526E-01, A10=0.13759E-01, A12=-0.13447E-02
第10面
K=-0.50673E+01, A4=-0.74248E-01, A6=0.47875E-01, 
A8=-0.20217E-01, A10=0.41544E-02, A12=-0.31244E-03
第11面
K=-0.50000E+02, A4=-0.44513E-01, A6=0.16872E-01, 
A8=-0.82604E-02, A10=0.14926E-02, A12=-0.24625E-04, 
A14=-0.10869E-04
第12面
K=-0.46972E+01, A4=-0.31093E-01, A6=0.83889E-02, 
A8=-0.19998E-02, A10=0.27648E-03, A12=-0.19297E-04, 
A14=0.50925E-06
【００６０】
実施例２の単レンズデータを以下の表６に示す。
〔表６〕
レンズ   始面   焦点距離(mm)
1         3      3.349
2         5     -4.315
3         7      7.480
4         9      2.617
5        11     -2.715
【００６１】
図５は、実施例２の撮像光学系１０Ｂ等の断面図である。撮像光学系１０Ｂは、物体側より順に、光軸ＡＸ近傍で正の屈折力を有し平凸に近い両凸の第１レンズＬ１と、光軸ＡＸ近傍で負の屈折力を有し両凹の第２レンズＬ２と、光軸ＡＸ近傍で正の屈折力を有し凸平に近い両凸の第３レンズＬ３と、光軸ＡＸ近傍で正の屈折力を有し像側に凸面を向けたメニスカス形状を有する第４レンズＬ４と、光軸ＡＸ近傍で負の屈折力を有し物体側に凸面を向けたメニスカス形状を有する第５レンズＬ５とを備える。第１、第３、及び第４レンズＬ１，Ｌ３，Ｌ４は、ガラス材料で形成されている。第２及び第５レンズＬ２，Ｌ５は、プラスチック材料で形成されている。第１レンズＬ１の物体側には、開口絞りＳＴが配置されている。第５レンズＬ５の光射出面と撮像面（像面）Ｉとの間には、平行平板Ｆが配置されている。
【００６２】
図６（Ａ）〜６（Ｃ）は、実施例２の撮像光学系１０Ｂの球面収差、非点収差、及び歪曲収差を示し、図６（Ｄ）及び６（Ｅ）は、撮像光学系１０Ｂのメリディオナルコマ収差を示している。
【００６３】
（実施例３）
実施例３の撮像光学系の全体諸元を以下に示す。
f=3.8(mm)
fB=0.59(mm)
F=2.4
2Y=6.97(mm)
ENTP=0(mm)
EXTP=-5.59(mm)
H1=1.46(mm)
H2=-3.21(mm)
2w=94.3(°)
【００６４】
実施例３のレンズ面のデータを以下の表７に示す。
〔表７〕
Surf.N     R(mm)    D(mm)     Nd      νd     ER(mm)
1         INF      0.00                      0.79
2(ST)     INF      0.08                      0.79
3*       36.979    0.96    1.87370   39.0    0.82
4*       -2.995    0.07                      1.15
5*       -4.931    0.30    1.63550   23.9    1.50
6*        3.714    0.29                      1.46
7*        7.009    1.00    1.77240   49.6    1.64
8*       -3.190    0.45                      1.79
9*       -1.362    0.85    1.77300   49.6    1.84
10*       -1.324    0.05                      2.05
11*        2.436    0.43    1.63200   23.4    2.12
12*        1.250    1.09                      2.67
13         INF      0.70    1.51630   64.1    3.09
14         INF                                3.27
【００６５】
実施例３のレンズ面の非球面係数を以下の表８に示す。
〔表８〕
第3面
K=-0.50000E+02, A4=-0.26750E-01, A6=0.32400E-02, 
A8=-0.23745E-01, A10=0.15299E-01
第4面
K=-0.42755E+01, A4=-0.27310E-02, A6=-0.39813E-01, 
A8=0.17280E-01, A10=-0.14341E-02
第5面
K=-0.50000E+02, A4=-0.46377E-01, A6=0.16821E-01, 
A8=-0.93936E-02, A10=0.18821E-02, A12=0.44659E-03
第6面
K=-0.49581E+00, A4=-0.61827E-01, A6=0.34671E-01, 
A8=-0.11109E-01, A10=0.53821E-03, A12=0.21243E-03
第7面
K=0.51571E+01, A4=-0.17356E-01, A6=-0.51875E-02, 
A8=0.71743E-03, A10=0.33092E-03
第8面
K=-0.10634E+01, A4=-0.59377E-02, A6=0.19236E-01, 
A8=-0.12476E-01, A10=0.21067E-02
第9面
K=-0.29843E+01, A4=-0.74046E-01, A6=0.94104E-01, 
A8=-0.48720E-01, A10=0.11792E-01, A12=-0.10869E-02
第10面
K=-0.42601E+01, A4=-0.90459E-01, A6=0.58039E-01, 
A8=-0.21085E-01, A10=0.39988E-02, A12=-0.30052E-03
第11面
K=-0.15074E+01, A4=-0.10310E+00, A6=0.26862E-01, 
A8=-0.89472E-02, A10=0.13749E-02, A12=0.12729E-05, 
A14=-0.14949E-04
第12面
K=-0.47098E+01, A4=-0.35521E-01, A6=0.43763E-02, 
A8=-0.79474E-03, A10=0.16442E-03, A12=-0.19579E-04, 
A14=0.82760E-06
【００６６】
実施例３の単レンズデータを以下の表９に示す。
〔表９〕
レンズ   始面   焦点距離(mm)
1         3      3.207
2         5     -3.289
3         7      2.965
4         9      5.697
5        11     -4.731
【００６７】
図７は、実施例３の撮像光学系１０Ｃ等の断面図である。撮像光学系１０Ｃは、物体側より順に、光軸ＡＸ近傍で正の屈折力を有し平凸に近い両凸の第１レンズＬ１と、光軸ＡＸ近傍で負の屈折力を有し両凹の第２レンズＬ２と、光軸ＡＸ近傍で正の屈折力を有し両凸の第３レンズＬ３と、光軸ＡＸ近傍で正の屈折力を有し像側に凸面を向けたメニスカス形状を有する第４レンズＬ４と、光軸ＡＸ近傍で負の屈折力を有し物体側に凸面を向けたメニスカス形状を有する第５レンズＬ５とを備える。第１、第３、及び第４レンズＬ１，Ｌ３，Ｌ４は、ガラス材料で形成されている。第２及び第５レンズＬ２，Ｌ５は、プラスチック材料で形成されている。第１レンズＬ１の物体側には、開口絞りＳＴが配置されている。第５レンズＬ５の光射出面と撮像面（像面）Ｉとの間には、平行平板Ｆが配置されている。
【００６８】
図８（Ａ）〜８（Ｃ）は、実施例３の撮像光学系１０Ｃの球面収差、非点収差、及び歪曲収差を示し、図８（Ｄ）及び８（Ｅ）は、撮像光学系１０Ｃのメリディオナルコマ収差を示している。
【００６９】
（実施例４）
実施例４の撮像光学系の全体諸元を以下に示す。
f=3.8(mm)
fB=0.9(mm)
F=2.38
2Y=7.08(mm)
ENTP=0(mm)
EXTP=-4.53(mm)
H1=1.14(mm)
H2=-2.9(mm)
2w=94.3(°)
【００７０】
実施例４のレンズ面のデータを以下の表１０に示す。
〔表１０〕
Surf.N     R(mm)    D(mm)     Nd      νd     ER(mm)
1         INF      0.00                      0.80
2(ST)     INF      0.15                      0.80
3*       78.418    0.66    1.89320   37.6    0.88
4*       -4.011    0.05                      1.12
5*      -30.303    0.30    1.63550   23.9    1.50
6*        3.102    0.27                      1.45
7*        5.372    1.00    1.77300   49.6    1.68
8*       -4.513    0.38                      1.80
9*       -1.557    0.86    1.75160   50.5    1.86
10*       -1.202    0.05                      1.96
11*        2.778    0.48    1.63200   23.4    2.00
12*        1.096    0.80                      2.57
13         INF      0.70    1.51630   64.1    2.87
14         INF                                3.08
【００７１】
実施例４のレンズ面の非球面係数を以下の表１１に示す。
〔表１１〕
第3面
K=-0.50000E+02, A4=-0.36954E-01, A6=-0.15558E-01, 
A8=-0.57632E-02, A10=0.39546E-02
第4面
K=0.37124E+01, A4=-0.21445E-01, A6=-0.26624E-01, 
A8=0.14023E-01, A10=-0.84442E-03
第5面
K=-0.50000E+02, A4=-0.48167E-01, A6=0.13034E-01, 
A8=0.30794E-03, A10=0.26395E-02, A12=-0.15896E-02
第6面
K=-0.12714E+01, A4=-0.64536E-01, A6=0.36618E-01, 
A8=-0.10655E-01, A10=0.92590E-03, A12=0.27573E-04
第7面
K=0.42214E+01, A4=-0.18820E-01, A6=-0.50207E-02, 
A8=0.98709E-03, A10=0.22837E-03
第8面
K=0.47845E+00, A4=-0.10701E-01, A6=0.19693E-01, 
A8=-0.12572E-01, A10=0.21360E-02
第9面
K=-0.36859E+01, A4=-0.76717E-01, A6=0.94767E-01, 
A8=-0.48507E-01, A10=0.11828E-01, A12=-0.10726E-02
第10面
K=-0.45222E+01, A4=-0.87032E-01, A6=0.57532E-01, 
A8=-0.21031E-01, A10=0.40396E-02, A12=-0.29228E-03
第11面
K=-0.61270E+00, A4=-0.98831E-01, A6=0.24308E-01, 
A8=-0.85758E-02, A10=0.13280E-02, A12=-0.40438E-04, 
A14=-0.82346E-05
第12面
K=-0.54585E+01, A4=-0.30853E-01, A6=0.40876E-02, 
A8=-0.85133E-03, A10=0.17375E-03, A12=-0.20152E-04, 
A14=0.88790E-06
【００７２】
実施例４の単レンズデータを以下の表１２に示す。
〔表１２〕
レンズ   始面   焦点距離(mm)
1         3      4.288
2         5     -4.413
3         7      3.319
4         9      3.449
5        11     -3.220
【００７３】
図９は、実施例４の撮像光学系１０Ｄ等の断面図である。撮像光学系１０Ｄは、物体側より順に、光軸ＡＸ近傍で正の屈折力を有し平凸に近い両凸の第１レンズＬ１と、光軸ＡＸ近傍で負の屈折力を有し両凹の第２レンズＬ２と、光軸ＡＸ近傍で正の屈折力を有し両凸の第３レンズＬ３と、光軸ＡＸ近傍で正の屈折力を有し像側に凸面を向けたメニスカス形状を有する第４レンズＬ４と、光軸ＡＸ近傍で負の屈折力を有し物体側に凸面を向けたメニスカス形状を有する第５レンズＬ５とを備える。第１、第３、及び第４レンズＬ１，Ｌ３，Ｌ４は、ガラス材料で形成されている。第２及び第５レンズＬ２，Ｌ５は、プラスチック材料で形成されている。第１レンズＬ１の物体側には、開口絞りＳＴが配置されている。第５レンズＬ５の光射出面と撮像面（像面）Ｉとの間には、平行平板Ｆが配置されている。
【００７４】
図１０（Ａ）〜１０（Ｃ）は、実施例４の撮像光学系１０Ｄの球面収差、非点収差、及び歪曲収差を示し、図１０（Ｄ）及び１０（Ｅ）は、撮像光学系１０Ｄのメリディオナルコマ収差を示している。
【００７５】
（実施例５）
実施例５の撮像光学系の全体諸元を以下に示す。
f=3.8(mm)
fB=0.55(mm)
F=2.4
2Y=7.13(mm)
ENTP=0(mm)
EXTP=-5.04(mm)
H1=1.22(mm)
H2=-3.25(mm)
2w=94.3(°)
【００７６】
実施例５のレンズ面のデータを以下の表１３に示す。
〔表１３〕
Surf.N     R(mm)    D(mm)     Nd      νd     ER(mm)
1         INF      0.00                      0.79
2(ST)     INF      0.21                      0.79
3*       27.841    0.93    1.89620   35.9    0.93
4*       -2.750    0.11                      1.22
5*       -2.326    0.30    1.63550   23.9    1.50
6*        7.532    0.20                      1.55
7*        5.901    0.99    1.81630   44.1    1.70
8*       -3.635    0.38                      1.81
9*       -1.557    0.76    1.77300   49.6    1.85
10*       -1.387    0.13                      1.94
11*        2.767    0.38    1.63200   23.4    2.02
12*        1.267    1.09                      2.51
13         INF      0.70    1.51630   64.1    3.02
14         INF                                3.26
【００７７】
実施例５のレンズ面の非球面係数を以下の表１４に示す。
〔表１４〕
第3面
K=0.50000E+02, A4=-0.31994E-01, A6=-0.16078E-01, 
A8=-0.50798E-02, A10=-0.91709E-02
第4面
K=0.24939E+01, A4=-0.31314E-01, A6=-0.17978E-01, 
A8=0.17783E-01, A10=-0.56571E-02
第5面
K=-0.21514E+01, A4=-0.56284E-01, A6=0.19560E-01, 
A8=-0.18604E-02, A10=0.11035E-02, A12=-0.12690E-02
第6面
K=0.64149E+01, A4=-0.42450E-01, A6=0.31071E-01, 
A8=-0.10770E-01, A10=0.15158E-02, A12=-0.98814E-04
第7面
K=-0.57784E+01, A4=-0.20906E-01, A6=-0.26285E-02, 
A8=0.11167E-02, A10=0.16370E-03
第8面
K=-0.52104E+00, A4=-0.71928E-02, A6=0.20244E-01, 
A8=-0.12426E-01, A10=0.20833E-02
第9面
K=-0.28136E+01, A4=-0.75138E-01, A6=0.95087E-01, 
A8=-0.48638E-01, A10=0.11794E-01, A12=-0.10539E-02
第10面
K=-0.45902E+01, A4=-0.86759E-01, A6=0.57080E-01, 
A8=-0.20943E-01, A10=0.40846E-02, A12=-0.29164E-03
第11面
K=-0.17025E+01, A4=-0.10466E+00, A6=0.24178E-01, 
A8=-0.77349E-02, A10=0.14080E-02, A12=-0.63954E-04, 
A14=-0.67514E-05
第12面
K=-0.48436E+01, A4=-0.46782E-01, A6=0.80701E-02, 
A8=-0.12255E-02, A10=0.17957E-03, A12=-0.17762E-04, 
A14=0.71296E-06
【００７８】
実施例５の単レンズデータを以下の表１５に示す。
〔表１５〕
レンズ   始面   焦点距離(mm)
1         3      2.833
2         5     -2.763
3         7      2.891
4         9      5.565
5        11     -4.102
【００７９】
図１１は、実施例５の撮像光学系１０Ｅ等の断面図である。撮像光学系１０Ｅは、物体側より順に、光軸ＡＸ近傍で正の屈折力を有し平凸に近い両凸の第１レンズＬ１と、光軸ＡＸ近傍で負の屈折力を有し両凹の第２レンズＬ２と、光軸ＡＸ近傍で正の屈折力を有し両凸の第３レンズＬ３と、光軸ＡＸ近傍で正の屈折力を有し像側に凸面を向けたメニスカス形状を有する第４レンズＬ４と、光軸ＡＸ近傍で負の屈折力を有し物体側に凸面を向けたメニスカス形状を有する第５レンズＬ５とを備える。第１、第３、及び第４レンズＬ１，Ｌ３，Ｌ４は、ガラス材料で形成されている。第２及び第５レンズＬ２，Ｌ５は、プラスチック材料で形成されている。第１レンズＬ１の物体側には、開口絞りＳＴが配置されている。第５レンズＬ５の光射出面と撮像面（像面）Ｉとの間には、平行平板Ｆが配置されている。
【００８０】
図１２（Ａ）〜１２（Ｃ）は、実施例５の撮像光学系１０Ｅの球面収差、非点収差、及び歪曲収差を示し、図１２（Ｄ）及び１２（Ｅ）は、撮像光学系１０Ｅのメリディオナルコマ収差を示している。
【００８１】
（実施例６）
実施例６の撮像光学系の全体諸元を以下に示す。
f=3.8(mm)
fB=0.58(mm)
F=2.4
2Y=7.13(mm)
ENTP=0(mm)
EXTP=-5.01(mm)
H1=1.22(mm)
H2=-3.22(mm)
2w=94.3(°)
【００８２】
実施例６のレンズ面のデータを以下の表１６に示す。
〔表１６〕
Surf.N     R(mm)    D(mm)     Nd      νd     ER(mm)
1         INF      0.00                      0.79
2(ST)     INF      0.16                      0.79
3*     1003.018    0.78    1.89700   36.1    0.88
4*       -2.993    0.05                      1.15
5*       -5.664    0.30    1.63550   23.9    1.20
6*        3.621    0.23                      1.49
7*        6.006    1.00    1.77850   48.8    1.67
8*       -3.826    0.43                      1.79
9*       -1.399    0.85    1.71210   52.2    1.84
10*       -1.190    0.05                      1.97
11*        2.694    0.47    1.63200   23.4    1.97
12*        1.157    1.09                      2.56
13         INF      0.70    1.51630   64.1    3.05
14         INF                                3.27
【００８３】
実施例６のレンズ面の非球面係数を以下の表１７に示す。
〔表１７〕
第3面
K=-0.50000E+02, A4=-0.35277E-01, A6=-0.87188E-02, 
A8=-0.10946E-01, A10=0.92222E-03
第4面
K=-0.17003E+01, A4=-0.10320E-01, A6=-0.40039E-01, 
A8=0.14667E-01, A10=-0.47325E-02
第5面
K=-0.50000E+02, A4=-0.50013E-01, A6=0.13015E-01, 
A8=-0.10218E-01, A10=0.90254E-03, A12=-0.89836E-03
第6面
K=-0.91541E+00, A4=-0.62950E-01, A6=0.33911E-01, 
A8=-0.11062E-01, A10=0.68049E-03, A12=0.15866E-03
第7面
K=0.49593E+01, A4=-0.17690E-01, A6=-0.50642E-02, 
A8=0.85445E-03, A10=0.28618E-03
第8面
K=-0.31013E+00, A4=-0.86760E-02, A6=0.19375E-01, 
A8=-0.12501E-01, A10=0.21668E-02
第9面
K=-0.31318E+01, A4=-0.75811E-01, A6=0.94487E-01, 
A8=-0.48554E-01, A10=0.11820E-01, A12=-0.10764E-02
第10面
K=-0.42675E+01, A4=-0.89225E-01, A6=0.58021E-01, 
A8=-0.21083E-01, A10=0.40098E-02, A12=-0.29711E-03
第11面
K=-0.12107E+01, A4=-0.10253E+00, A6=0.26177E-01, 
A8=-0.89286E-02, A10=0.13279E-02, A12=-0.16697E-04, 
A14=-0.15257E-04
第12面
K=-0.56625E+01, A4=-0.32749E-01, A6=0.42344E-02, 
A8=-0.82340E-03, A10=0.16520E-03, A12=-0.19931E-04, 
A14=0.93285E-06
【００８４】
実施例６の単レンズデータを以下の表１８に示す。
〔表１８〕
レンズ   始面   焦点距離(mm)
1         3      3.328
2         5     -3.433
3         7      3.142
4         9      4.159
5        11     -3.641
【００８５】
図１３は、実施例６の撮像光学系１０Ｆ等の断面図である。撮像光学系１０Ｆは、物体側より順に、光軸ＡＸ近傍で正の屈折力を有し平凸に近い両凸の第１レンズＬ１と、光軸ＡＸ近傍で負の屈折力を有し両凹の第２レンズＬ２と、光軸ＡＸ近傍で正の屈折力を有し両凸の第３レンズＬ３と、光軸ＡＸ近傍で正の屈折力を有し像側に凸面を向けたメニスカス形状を有する第４レンズＬ４と、光軸ＡＸ近傍で負の屈折力を有し物体側に凸面を向けたメニスカス形状を有する第５レンズＬ５とを備える。第１、第３、及び第４レンズＬ１，Ｌ３，Ｌ４は、ガラス材料で形成されている。第２及び第５レンズＬ２，Ｌ５は、プラスチック材料で形成されている。第１レンズＬ１の物体側には、開口絞りＳＴが配置されている。第５レンズＬ５の光射出面と撮像面（像面）Ｉとの間には、平行平板Ｆが配置されている。
【００８６】
図１４（Ａ）〜１４（Ｃ）は、実施例６の撮像光学系１０Ｆの球面収差、非点収差、及び歪曲収差を示し、図１４（Ｄ）及び１４（Ｅ）は、撮像光学系１０Ｆのメリディオナルコマ収差を示している。
【００８７】
（実施例７）
実施例７の撮像光学系の全体諸元を以下に示す。
f=3.8(mm)
fB=0.58(mm)
F=2.38
2Y=7.1(mm)
ENTP=0(mm)
EXTP=-5.02(mm)
H1=1.22(mm)
H2=-3.22(mm)
2w=94.4(°)
【００８８】
実施例７のレンズ面のデータを以下の表１９に示す。
〔表１９〕
Surf.N     R(mm)    D(mm)     Nd      νd     ER(mm)
1         INF      0.00                      0.80
2(ST)     INF      0.15                      0.80
3*     2591.160    0.79    1.89660   36.0    0.88
4*       -2.953    0.05                      1.16
5*       -5.570    0.30    1.63550   23.9    1.21
6*        3.607    0.24                      1.50
7*        6.034    1.00    1.77730   49.0    1.69
8*       -3.781    0.44                      1.80
9*       -1.396    0.85    1.71740   52.0    1.84
10*       -1.195    0.05                      1.98
11*        2.703    0.47    1.63200   23.4    1.98
12*        1.161    1.09                      2.56
13         INF      0.70    1.51630   64.1    3.04
14         INF                                3.25
【００８９】
実施例７のレンズ面の非球面係数を以下の表２０に示す。
〔表２０〕
第3面
K=-0.50000E+02, A4=-0.35058E-01, A6=-0.78344E-02, 
A8=-0.11976E-01, A10=0.20196E-02
第4面
K=-0.19139E+01, A4=-0.95786E-02, A6=-0.40354E-01, 
A8=0.14857E-01, A10=-0.44020E-02
第5面
K=-0.50000E+02, A4=-0.49462E-01, A6=0.13404E-01, 
A8=-0.10371E-01, A10=0.96457E-03, A12=-0.73769E-03
第6面
K=-0.87760E+00, A4=-0.62849E-01, A6=0.34002E-01, 
A8=-0.11089E-01, A10=0.64669E-03, A12=0.16958E-03
第7面
K=0.49679E+01, A4=-0.17703E-01, A6=-0.51078E-02, 
A8=0.83628E-03, A10=0.29473E-03
第8面
K=-0.35263E+00, A4=-0.85279E-02, A6=0.19359E-01, 
A8=-0.12492E-01, A10=0.21630E-02
第9面
K=-0.31256E+01, A4=-0.75608E-01, A6=0.94440E-01, 
A8=-0.48571E-01, A10=0.11818E-01, A12=-0.10773E-02
第10面
K=-0.42801E+01, A4=-0.89300E-01, A6=0.58033E-01, 
A8=-0.21085E-01, A10=0.40082E-02, A12=-0.29742E-03
第11面
K=-0.12548E+01, A4=-0.10264E+00, A6=0.26332E-01, 
A8=-0.89498E-02, A10=0.13317E-02, A12=-0.13560E-04, 
A14=-0.15055E-04
第12面
K=-0.56694E+01, A4=-0.32916E-01, A6=0.42625E-02, 
A8=-0.81983E-03, A10=0.16468E-03, A12=-0.19884E-04, 
A14=0.92416E-06
【００９０】
実施例７の単レンズデータを以下の表２１に示す。
〔表２１〕
レンズ   始面   焦点距離(mm)
1         3      3.291
2         5     -3.402
3         7      3.130
4         9      4.189
5        11     -3.647
【００９１】
図１５は、実施例７の撮像光学系１０Ｇ等の断面図である。撮像光学系１０Ｇは、物体側より順に、光軸ＡＸ近傍で正の屈折力を有し平凸に近い両凸の第１レンズＬ１と、光軸ＡＸ近傍で負の屈折力を有し両凹の第２レンズＬ２と、光軸ＡＸ近傍で正の屈折力を有し両凸の第３レンズＬ３と、光軸ＡＸ近傍で正の屈折力を有し像側に凸面を向けたメニスカス形状を有する第４レンズＬ４と、光軸ＡＸ近傍で負の屈折力を有し物体側に凸面を向けたメニスカス形状を有する第５レンズＬ５とを備える。第１、第３、及び第４レンズＬ１，Ｌ３，Ｌ４は、ガラス材料で形成されている。第２及び第５レンズＬ２，Ｌ５は、プラスチック材料で形成されている。第１レンズＬ１の物体側には、開口絞りＳＴが配置されている。第５レンズＬ５の光射出面と撮像面（像面）Ｉとの間には、平行平板Ｆが配置されている。
【００９２】
図１６（Ａ）〜１６（Ｃ）は、実施例７の撮像光学系１０Ｇの球面収差、非点収差、及び歪曲収差を示し、図１６（Ｄ）及び１６（Ｅ）は、撮像光学系１０Ｇのメリディオナルコマ収差を示している。
【００９３】
以下の表２２は、各条件式（１）〜（３）に対応する各実施例１〜７の値をまとめたものである。
〔表２２〕
2018097289.tif 000004
【００９４】
以上、実施形態や実施例に即して本発明を説明したが、本発明は、上記実施形態等に限定されるものではない。
【符号の説明】
【００９５】
ＡＸ…光軸、  Ｆ…平行平板、  Ｉ…撮像面、  Ｌ１〜Ｌ５…レンズ、  ＯＰ…開口、  １０，１０Ａ〜１０Ｇ…撮像光学系、  ３０…カメラモジュール、  ４０…レンズユニット、  ４１…鏡筒、  ４２…駆動機構、  ５０…センサー部、  ５０  カメラモジュール、  ５１…撮像素子、  ５２…基板、  ６０…処理部、  ６１…レンズ駆動部、  ６２…素子駆動部、  ６３…入力部、  ６４…記憶部、  ６５…画像処理部、  ６６…表示部、  ６７…制御部、  １００…撮像装置、  ３００…携帯通信端末
【図１】
2018097289.tif 000005
【図２】
2018097289.tif 000006
【図３】
2018097289.tif 000007
【図４】
2018097289.tif 000008
【図５】
2018097289.tif 000009
【図６】
2018097289.tif 000010
【図７】
2018097289.tif 000011
【図８】
2018097289.tif 000012
【図９】
2018097289.tif 000013
【図１０】
2018097289.tif 000014
【図１１】
2018097289.tif 000015
【図１２】
2018097289.tif 000016
【図１３】
2018097289.tif 000017
【図１４】
2018097289.tif 000018
【図１５】
2018097289.tif 000019
【図１６】
2018097289.tif 000020